【手続補正書】
【提出日】平成27年10月9日(2015.10.9)
【手続補正１】
【補正対象書類名】特許請求の範囲
【補正対象項目名】全文
【補正方法】変更
【補正の内容】
【特許請求の範囲】
【請求項１】
所定の時間間隔（以下、「データ取得間隔」と呼ぶ）ごとに、管理対象システムの状態に関する状態データを前記管理対象システムから取得するデータ取得部と、
前記データ取得部により取得された状態データを記録するデータ記録部と、
前記データ取得部により取得された状態データのうち、前記管理対象システムの処理負荷を示す特徴データに基づき、前記データ取得間隔を制御するデータ取得間隔制御部と
を備え、
前記データ取得部は、前記状態データを取得する場合、前記特徴データとして前記管理対象システムの現在の処理負荷を示す現在の特徴データを取得し、前記現在の特徴データが前記管理対象システムの処理負荷が低いことを示すとき、前記状態データのうち前記現在の特徴データ以外の他のデータを取得し、前記現在の特徴データが前記管理対象システムの処理負荷が高いことを示すときには、前記他のデータの取得を行わないことを特徴とするデータ収集記録装置。
【請求項２】
前記データ取得間隔制御部は、前記特徴データにより示される前記管理対象システムの処理負荷が高いほど、前記データ取得間隔を長くすることを特徴とする請求項１に記載のデータ収集記録装置。
【請求項３】
前記データ取得部は、前記状態データを取得する場合、前記特徴データとして前記管理対象システムの現在の処理負荷を示す現在の特徴データを取得し、前記状態データのうち前記現在の特徴データ以外の他のデータとして、前記管理対象システムにおいて所定の時間間隔（以下、「データ保存間隔」と呼ぶ）ごとに保存される、前記管理対象システムの状態に関する保存データのうち未送信の最も古い保存データを取得することを特徴とする請求項１または２に記載のデータ収集記録装置。
【請求項４】
前記データ取得間隔制御部は、前記データ取得部により取得された現在の特徴データが前記管理対象システムの処理負荷が高いことを示す場合、前記データ取得間隔を前記データ保存間隔よりも長い時間間隔に決定し、その後、前記データ取得部により前記管理対象システムの処理負荷が低いことを示す現在の特徴データが取得された場合に、前記データ取得間隔を前記データ保存間隔よりも短い時間間隔に決定することを特徴とする請求項３に記載のデータ収集記録装置。
【請求項５】
前記データ取得間隔制御部は、前記データ取得間隔を前記データ保存間隔よりも短い時間間隔に決定した後、前記管理対象システムにおいて未送信の保存データがなくなった場合に、前記データ取得間隔を前記データ保存間隔と同じ時間間隔に決定することを特徴とする請求項４に記載のデータ収集記録装置。
【請求項６】
前記データ取得部は、前記最も古い保存データを取得する場合、前記最も古い保存データが保存された時点における前記管理対象システムの処理負荷を示す保存時点の特徴データを取得し、前記保存時点の特徴データに基づき、前記最も古い保存データのうち取得すべきデータを決定し、当該決定されたデータを取得することを特徴とする請求項３から５のいずれか１項に記載のデータ収集記録装置。
【請求項７】
前記データ取得部は、前記保存時点の特徴データにより示される前記管理対象システムの処理負荷が高いほど、前記管理対象システムから多くのデータが取得されるように、前記取得すべきデータを決定することを特徴とする請求項６に記載のデータ収集記録装置。
【請求項８】
前記特徴データは、前記管理対象システムを構成する部品の状態を示し、前記管理対象システムにおいて動作の制御に使用される状態値により構成されることを特徴とする請求項１から７のいずれか１項に記載のデータ収集記録装置。
【請求項９】
前記特徴データは、前記管理対象システムを構成する電磁弁もしくはポンプのいずれか、または両方の動作状態を示す状態値により構成されることを特徴とする請求項１から８のいずれか１項に記載のデータ収集記録装置。
【請求項１０】
前記データ取得間隔制御部は、
前記データ取得部により取得されたデータから前記特徴データを抽出する特徴データ抽出部と、
前記特徴データ抽出部により抽出された特徴データから前記管理対象システムの処理負荷を判定する処理負荷判定部と、
前記処理負荷判定部の判定結果に基づき、前記データ取得間隔を決定するデータ取得間隔決定部と
を含むことを特徴とする請求項１から９のいずれか１項に記載のデータ収集記録装置。
【請求項１１】
前記管理対象システムの処理負荷は、前記管理対象システムの動作を制御するＣＰＵの負荷であることを特徴とする請求項１から１０のいずれか１項に記載のデータ収集記録装置。
【請求項１２】
前記管理対象システムから前記特徴データとして取得すべきデータの項目と、前記特徴データから前記データ取得間隔および前記他のデータの取得を行うか否かの一方または両方を決定するための制御情報とが記述された設定ファイルを記憶する読み書き可能なファイル記憶部をさらに備え、
前記ファイル記憶部の設定ファイルに記述されている項目に従って、前記管理対象システムから前記特徴データを取得し、当該特徴データに基づき、前記ファイル記憶部の設定ファイルに記述されている制御情報に従って、前記データ取得間隔および前記他のデータの取得を行うか否かの一方または両方を決定することを特徴とする請求項１から１１のいずれか１項に記載のデータ収集記録装置。
【請求項１３】
前記データ取得部により取得された特徴データを平均化し、平均化された特徴データを用いて、前記データ取得間隔の決定および前記他のデータの取得を行うか否かの決定の一方または両方を行うことを特徴とする請求項１から１２のいずれか１項に記載のデータ収集記録装置。
【請求項１４】
管理対象システムと、データ収集記録装置とを含み、
前記管理対象システムは、前記管理対象システムの動作を制御する制御部を備え、
前記データ収集記録装置は、
所定の時間間隔（以下、「データ取得間隔」と呼ぶ）ごとに、前記管理対象システムの状態に関する状態データを前記管理対象システムから取得するデータ取得部と、
前記データ取得部により取得された状態データを記録するデータ記録部と、
前記データ取得部により取得された状態データのうち、前記管理対象システムの前記制御部の処理負荷を示す特徴データに基づき、前記データ取得間隔を制御するデータ取得間隔制御部とを備え、
前記データ取得部は、前記状態データを取得する場合、前記特徴データとして前記管理対象システムの現在の処理負荷を示す現在の特徴データを取得し、前記現在の特徴データが前記管理対象システムの処理負荷が低いことを示すとき、前記状態データのうち前記現在の特徴データ以外の他のデータを取得し、前記現在の特徴データが前記管理対象システムの処理負荷が高いことを示すときには、前記他のデータの取得を行わないことを特徴とする管理システム。
【請求項１５】
前記制御部は、前記管理対象システムの状態に関する保存データを所定の時間間隔で保存し、前記データ収集記録装置からの要求に応じて、前記管理対象システムの現在の処理負荷を示す現在の特徴データと、前記保存された保存データのうち未送信の最も古い保存データとを前記データ収集記録装置に送信し、
前記データ取得部は、前記制御部から、前記特徴データとして前記現在の特徴データを取得し、前記状態データのうち前記現在の特徴データ以外の他のデータとして、前記未送信の最も古い保存データを取得することを特徴とする請求項１４に記載の管理システム。
【請求項１６】
所定の時間間隔（以下、「データ取得間隔」と呼ぶ）ごとに、管理対象システムの状態に関する状態データを前記管理対象システムから取得するデータ取得ステップと、
前記データ取得ステップにより取得された状態データを記録するデータ記録ステップと、
前記データ取得ステップにより取得された状態データのうち、前記管理対象システムの処理負荷を示す特徴データに基づき、前記データ取得間隔を制御するデータ取得間隔制御ステップと
を有し、
前記データ取得ステップは、前記状態データを取得する場合、前記特徴データとして前記管理対象システムの現在の処理負荷を示す現在の特徴データを取得し、前記現在の特徴データが前記管理対象システムの処理負荷が低いことを示すとき、前記状態データのうち前記現在の特徴データ以外の他のデータを取得し、前記現在の特徴データが前記管理対象システムの処理負荷が高いことを示すときには、前記他のデータの取得を行わないことを特徴とするデータ収集記録方法。
【請求項１７】
前記データ取得ステップは、前記状態データを取得する場合、前記特徴データとして前記管理対象システムの現在の処理負荷を示す現在の特徴データを取得し、前記状態データのうち前記現在の特徴データ以外の他のデータとして、前記管理対象システムにおいて所定の時間間隔（以下、「データ保存間隔」と呼ぶ）ごとに保存される、前記管理対象システムの状態に関する保存データのうち未送信の最も古い保存データを取得することを特徴とする請求項１６に記載のデータ収集記録方法。
【請求項１８】
前記データ取得ステップは、前記最も古い保存データを取得する場合、前記最も古い保存データが保存された時点における前記管理対象システムの処理負荷を示す保存時点の特徴データを取得し、前記保存時点の特徴データに基づき、前記最も古い保存データのうち取得すべきデータを決定し、当該決定されたデータを取得することを特徴とする請求項１７に記載のデータ収集記録方法。
【請求項１９】
前記管理対象システムから前記特徴データとして取得すべきデータの項目と、前記特徴データから前記データ取得間隔を決定するための制御情報とが記述された設定ファイルを読み書き可能なファイル記憶部に記憶させるファイル記憶ステップをさらに有し、
前記ファイル記憶部の設定ファイルに記述されている項目に従って、前記管理対象システムから前記特徴データを取得し、当該特徴データに基づき、前記ファイル記憶部の設定ファイルに記述されている制御情報に従って、前記データ取得間隔を決定することを特徴とする請求項１６から１８のいずれか１項に記載のデータ収集記録方法。
【請求項２０】
前記データ取得ステップにより取得された特徴データを平均化し、平均化された特徴データを用いて、前記データ取得間隔の決定を行うことを特徴とする請求項１６から１９のいずれか１項に記載のデータ収集記録方法。
【手続補正２】
【補正対象書類名】明細書
【補正対象項目名】発明の名称
【補正方法】変更
【補正の内容】
【発明の名称】データ収集記録装置、管理システム、及びデータ収集記録方法
【手続補正３】
【補正対象書類名】明細書
【補正対象項目名】０００１
【補正方法】変更
【補正の内容】
【０００１】
本発明は、管理対象システムの状態に関するデータを収集して記録するデータ収集記録装置、管理システム、及びデータ収集記録方法に関する。
【手続補正４】
【補正対象書類名】明細書
【補正対象項目名】０００６
【補正方法】変更
【補正の内容】
【０００６】
本発明は、管理対象システムの処理負荷が過大となることを抑制しながら、管理対象システムから状態データを取得することができるデータ収集記録装置、管理システム、及びデータ収集記録方法を提供することを目的とする。
【手続補正５】
【補正対象書類名】明細書
【補正対象項目名】０００７
【補正方法】変更
【補正の内容】
【０００７】
本発明に係るデータ収集記録装置は、所定の時間間隔（以下、「データ取得間隔」と呼ぶ）ごとに、管理対象システムの状態に関する状態データを前記管理対象システムから取得するデータ取得部と、前記データ取得部により取得された状態データを記録するデータ記録部と、前記データ取得部により取得された状態データのうち、前記管理対象システムの処理負荷を示す特徴データに基づき、前記データ取得間隔を制御するデータ取得間隔制御部とを備え、前記データ取得部は、前記状態データを取得する場合、前記特徴データとして前記管理対象システムの現在の処理負荷を示す現在の特徴データを取得し、前記現在の特徴データが前記管理対象システムの処理負荷が低いことを示すとき、前記状態データのうち前記現在の特徴データ以外の他のデータを取得し、前記現在の特徴データが前記管理対象システムの処理負荷が高いことを示すときには、前記他のデータの取得を行わないことを特徴とする。
【手続補正６】
【補正対象書類名】明細書
【補正対象項目名】０００８
【補正方法】変更
【補正の内容】
【０００８】
また、本発明に係る管理システムは、管理対象システムと、データ収集記録装置とを含み、前記管理対象システムは、前記管理対象システムの動作を制御する制御部を備え、前記データ収集記録装置は、所定の時間間隔（以下、「データ取得間隔」と呼ぶ）ごとに、前記管理対象システムの状態に関する状態データを前記管理対象システムから取得するデータ取得部と、前記データ取得部により取得された状態データを記録するデータ記録部と、前記データ取得部により取得された状態データのうち、前記管理対象システムの前記制御部の処理負荷を示す特徴データに基づき、前記データ取得間隔を制御するデータ取得間隔制御部とを備え、前記データ取得部は、前記状態データを取得する場合、前記特徴データとして前記管理対象システムの現在の処理負荷を示す現在の特徴データを取得し、前記現在の特徴データが前記管理対象システムの処理負荷が低いことを示すとき、前記状態データのうち前記現在の特徴データ以外の他のデータを取得し、前記現在の特徴データが前記管理対象システムの処理負荷が高いことを示すときには、前記他のデータの取得を行わないことを特徴とする。
【手続補正７】
【補正対象書類名】明細書
【補正対象項目名】０００９
【補正方法】変更
【補正の内容】
【０００９】
また、本発明に係るデータ収集記録方法は、所定の時間間隔（以下、「データ取得間隔」と呼ぶ）ごとに、管理対象システムの状態に関する状態データを前記管理対象システムから取得するデータ取得ステップと、前記データ取得ステップにより取得された状態データを記録するデータ記録ステップと、前記データ取得ステップにより取得された状態データのうち、前記管理対象システムの処理負荷を示す特徴データに基づき、前記データ取得間隔を制御するデータ取得間隔制御ステップとを有し、前記データ取得ステップは、前記状態データを取得する場合、前記特徴データとして前記管理対象システムの現在の処理負荷を示す現在の特徴データを取得し、前記現在の特徴データが前記管理対象システムの処理負荷が低いことを示すとき、前記状態データのうち前記現在の特徴データ以外の他のデータを取得し、前記現在の特徴データが前記管理対象システムの処理負荷が高いことを示すときには、前記他のデータの取得を行わないことを特徴とする。
【手続補正８】
【補正対象書類名】明細書
【補正対象項目名】００１０
【補正方法】削除
【補正の内容】